(57)【特許請求の範囲】
【請求項１】
垂直に配置される板状の盤本体と、その盤本体に水平に着脱自在な載置棚と、その載置棚を覆うカバーとから成る情報分電盤であって、
前記盤本体には、インフラ機器のＨＵＢを盤本体の右上角に接続コネクタ部が内向きになるように固定し、インフラ機器のブースタを盤本体の左端に出力コネクタが上向き且つ入力コネクタが内向きになるように固定して前記インフラ機器が着脱自在であり、中央部に広い配線スペースが設けられていると共に、キャリア機器やユーザー機器が載置自在な前記載置棚が取り付けられ、載置棚の後方には、盤本体に取り付け自在な取付手段があり、その取付手段によって当該載置棚は前記盤本体に取り付け自在であると共に、前記載置棚の側方には、載置されるキャリア機器やユーザー機器の側方へのはみ出しを防止する側方ストッパーがあり、且つ前方には、カバー取り外し時に前記キャリア機器等の前方への転倒を防止する前方ストッパーが備えられていることを特徴とする情報分電盤。
【請求項２】
垂直に配置される所定幅の板状の盤本体と、その盤本体に水平配置で着脱自在な所定奥行の載置棚と、その載置棚を覆って盤本体へ着脱自在なカバーとから成る情報分電盤であって、
前記盤本体には、インフラ機器が取り付けられると共に、載置棚を係止自在な被係止孔が当該盤本体の側方に形成され、キャリア機器やユーザー機器を載置自在な載置棚が係止自在であり、その載置棚の上方後部で前記機器の配線可能なスペースが設けられていること、
前記載置棚は、その左右両側に側面部が形成され、その側面部の後方は、前記盤本体の被係止孔に係止自在な係止部に形成され、且つ前記側面部の後方下部は下方に折曲した後方突辺に形成され、その後方突辺にラッチ等の固定手段を留めて固定できる固定孔が形成されていると共に、当該載置棚の前方には、前記左右の側面部に亘る転倒防止バーが設けられていること、
側方ストッパーを兼ねる前記側面部によって、当該載置棚に載置されるキャリア機器やユーザー機器の側方へのはみ出しが防止されると共に、前方ストッパーたる前記転倒防止バーによって、カバー取り外し時に前記キャリア機器等の前方への転倒が防止される構成であることを特徴とする情報分電盤。
【請求項３】
垂直に配置される所定幅の板状の盤本体と、その盤本体に水平配置で着脱自在な所定奥行の載置棚と、その載置棚を覆って盤本体へ着脱自在なカバーとから成る情報分電盤であって、
前記盤本体には、インフラ機器が取り付けられると共に、キャリア機器やユーザー機器を載置自在な載置棚が取り付けられ、その載置棚の上部後方で前記機器の配線可能なスペースが設けられていること、
前記載置棚は、その左右両側に側面部が形成され、その一方の側面部の後方が、前記盤本体の一側方にヒンジ機構によって回動自在に取り付けられ、且つ前記盤本体の他側方の後方は、折曲した後方突辺に形成され、その後方突辺の上下に、ラッチ等の固定手段が取り付けられ、前記固定手段に対応する盤本体の他側方の位置に、取付孔が設けられており、前記載置棚の他方の側面部の後方が、前記固定手段によって盤本体に取り付け又は片開き自在であると共に、当該載置棚の前方には、前記左右の側面部に亘る転倒防止バーが設けられていること、
側方ストッパーを兼ねる前記側面部によって、当該載置棚に載置されるキャリア機器やユーザー機器の側方へのはみ出しが防止されると共に、前方ストッパーたる前記転倒防止バーによって、カバー取り外し時に前記キャリア機器等の前方への転倒が防止される構成であることを特徴とする情報分電盤。
【請求項４】
載置棚の側方ストッパーを兼ねる左右の側面部の上部には、係止用の切込みが複数設けられ、前記左右の側面部に亘る中間バーが所望位置で前記係止用切込みに係止自在に構成されていることを特徴とする、請求項1又は２又は３に記載した情報分電盤。
【請求項５】
載置棚の下面部に貫通孔が複数形成されていると共に、その後方には、盤本体への取り付け時に同盤本体との間で、インフラ機器やキャリア機器、ユーザー機器の各電源コードを配線可能なスペースが設けられており、前記貫通孔に掛け渡された結束バンドやガムテープ等によって前記スペースを通過させた各電源コードが固定されることを特徴とする、請求項1又は２又は３又は４に記載した情報分電盤。
【請求項６】
載置棚の下面部には貫通孔が複数形成され、前記下面部の上に載置されたキャリア機器やユーザー機器の電源コードが下面部の裏面で、前記貫通孔間に掛け渡された結束バンドに掛け留め自在に構成されていることを特徴とする、請求項1又は２又は３又は４又は５に記載した情報分電盤。
【請求項７】
カバーは、その前面が開閉自在な蓋体に形成され、盤本体へ当該カバーを取り付けたまま、蓋体の開閉によって、キャリア機器やユーザー機器を設置又は取り外し可能に構成されていることを特徴とする、請求項1又は２又は３に記載した情報分電盤。
【請求項８】
盤本体は、その表面に凹状のネジ止め穴が多数形成された合成樹脂製で成り、インフラ機器が前記ネジ止め穴を用いて盤本体にネジ止め自在に構成されていることを特徴とする、請求項１又は２又は３に記載した情報分電盤。
【発明の詳細な説明】
【技術分野】
【０００１】
本発明は、テレビ受信用の分配増幅器とインターネットのＬＡＮ配線用のＨＵＢや電話回線の端子台などのインフラ機器及び、光インターネットの通信機器等のキャリア機器（例えば、ＯＮＵ）やユーザー機器（例えば、ＬＡＮ）を、効率よくコンパクト収納する情報分電盤の技術分野に関するものである。
【背景技術】
【０００２】
最近の新築住宅では、保守・点検や改修工事などを行い易いようにテレビ受信システム機器とインターネットなどの通信機器を同一のボックスの中に配置した情報分電盤の設置が一般化してきている。
しかし、大きな情報分電盤を設置すれば、様々な機器を設置することはできるが、広いスペースを必要とし、コスト高にもなる。一方、小型サイズの情報分電盤では、ユーザーが光インターネット回線に加入したり、無線ＬＡＮを取り付けようとする場合、情報分電盤の中に入らないという問題がある。
【０００３】
この点、例えば下記特許文献１には、情報端末装置の情報伝送配線に接続される各種機器を収納する機器収納装置であって、前方側に開口面を有する箱状の本体と、後方側に前記本体の開口面と合わさる開口面を有する開閉自在な箱状の蓋体と、からなるキャビネットと、前記本体の後方壁面に設けられ、前方側の面に機器を取り付け可能な機器取付板と、前記機器取付板に取り付けられた機器よりも前方寄りで、前記機器に接触しない位置に別の機器を設置可能な機器載置部材と、を有し、前記キャビネットは、前記機器取付板、前記機器取付板に設置される機器、前記機器載置部材及び前記機器載置部材に設置される前記別の機器を収容可能な奥行きを有しており、前記機器載置部材は、前記本体に固定され、前記機器載置部材の先端部が、前記本体の開口面よりも前方に位置していることを特徴とする、機器収納装置（同文献の請求項１）が記載されている。
【０００４】
また、特許文献２には、建造物内に設置され前面が開放された盤本体を有し、  前記盤本体は、前記建造物の外部から引き込まれた先行配線に接続されるインフラ機器を収納するインフラ収納部と、電気通信事業者によって管理されるキャリア機器を収納するキャリア収納部とが別々に設けられており、前記盤本体は、前記インフラ収納部の前面を覆う内カバーを有しており、当該内カバーの前方に前記インフラ機器と前記キャリア機器との少なくとも一方に接続されるユーザ機器を収納するユーザ機器収納部を有することを特徴とするマルチメディア情報盤（同文献の請求項１）が記載されている。
【先行技術文献】
【特許文献】
【０００５】
【特許文献１】特許第５２８８５４７号公報
【特許文献２】特許第５６１６７７２号公報
【発明の概要】
【発明が解決しようとする課題】
【０００６】
前記特許文献１のインフラ機器とキャリア機器を盤本体に取り付けた情報分電盤では、盤本体が横方向に大きくなり、クローゼットなどの横方向の寸法が狭いところには設置できないという問題があった。
【０００７】
特許文献２のインフラ機器とキャリア機器とを前後方向に重ねた情報分電盤は、本体が箱型形状になっており、インフラ機器への配線の取り付けがやりにくく、この点が解決すべき課題とされている。
【０００８】
また、ユーザーがスマートホンなどの無線ＬＡＮへの設定を行う為、情報分電盤に搭載したユーザー機器を操作する目的で、カバーを開ける際に、キャリア機器やユーザー機器が落下してケーブルが断線もしくは抜けてしまうといった問題もある。
【０００９】
しかるに、本発明は、コンパクト設計でありながら、家の建築と並行して、各部屋に配線されるテレビ受信用の分配増幅器とインターネットのＬＡＮ配線用のＨＵＢ等のインフラ機器を、盤本体に効率よく配置して接続しやすい上、家の完成後にユーザーが選んで設置される、光インターネット通信機器などのキャリア機器やユーザー機器を、広いスペースを確保して安全に設置できて使い勝手に優れた情報分電盤を提供することにある。
【課題を解決するための手段】
【００１０】
課題を解決するための手段として、請求項１に記載した発明は、垂直に配置される板状の盤本体１と、その盤本体１に水平に着脱自在な載置棚２と、その載置棚２を覆うカバー３とから成る情報分電盤であって、
前記盤本体１には、インフラ機器ＡのＨＵＢ１３を盤本体１の右上角に接続コネクタ部が内向きになるように固定し、インフラ機器Ａのブースタ１４を盤本体１の左端に出力コネクタが上向き且つ入力コネクタが内向きになるように固定して前記インフラ機器Ａ（１３、１４）が着脱自在であり、中央部に広い配線スペース１１が設けられていると共に、キャリア機器Ｂやユーザー機器Ｃが載置自在な前記載置棚２が取り付けられ、載置棚２の後方には、盤本体１に取り付け自在な取付手段２１があり、その取付手段２１によって当該載置棚２は前記盤本体１に取り付け自在であると共に、前記載置棚２１の側方には、載置されるキャリア機器Ｂやユーザー機器Ｃの側方へのはみ出しを防止する側方ストッパー２０があり、且つ前方には、カバー３取り外し時に前記キャリア機器Ｂ等の前方への転倒を防止する前方ストッパー２３が備えられていることを特徴とする。
【００１１】
請求項２に記載した発明は、垂直に配置される所定幅の板状の盤本体１と、その盤本体１に水平配置で着脱自在な所定奥行の載置棚２と、その載置棚２を覆って盤本体１へ着脱自在なカバー３とから成る情報分電盤であって、
前記盤本体１には、インフラ機器Ａが取り付けられると共に、載置棚２を係止自在な被係止孔１０が当該盤本体１の側方に形成され、キャリア機器Ｂやユーザー機器Ｃを載置自在な載置棚２が係止自在であり、その載置棚２の上部後方で前記機器Ａ、Ｂ、Ｃの配線可能なスペース１１が設けられていること、
前記載置棚２は、その左右両側に側面部２０、２０が形成され、その側面部２０の後方は、前記盤本体１の被係止孔１０に係止自在な係止部２１に形成され、且つ前記側面部２０の後方下部は下方に折曲した後方突辺２０ａに形成され、その後方突辺２０ａにラッチ４等の固定手段を留めて固定できる固定孔２０ｂが形成されていると共に、当該載置棚２の前方には、前記左右の側面部２０、２０に亘る転倒防止バー２３が設けられていること、
側方ストッパーを兼ねる前記側面部２０によって、当該載置棚２に載置されるキャリア機器Ｂやユーザー機器Ｃの側方へのはみ出しが防止されると共に、前方ストッパーたる前記転倒防止バー２３によって、カバー３の取り外し時に前記キャリア機器Ｂ等の前方への転倒が防止される構成であることを特徴とする。
【００１２】
請求項３に記載した発明は、垂直に配置される所定幅の板状の盤本体１と、その盤本体１に水平配置で着脱自在な所定奥行の載置棚２と、その載置棚２を覆って盤本体１へ着脱自在なカバー３とから成る情報分電盤であって、
前記盤本体１には、インフラ機器Ａが取り付けられると共に、キャリア機器Ｂやユーザー機器Ｃを載置自在な載置棚２が取り付けられ、その載置棚２の上部後方で前記機器Ａ、Ｂ、Ｃの配線可能なスペース１１が設けられていること、
前記載置棚２は、その左右両側に側面部２０、２０が形成され、その一方の側面部２０の後方が、前記盤本体１の一側方にヒンジ機構２０ｃによって回動自在に取り付けられ、且つ前記盤本体１の他側方の後方は、折曲した後方突辺２０ａに形成され、その後方突辺２０ａの上下に、ラッチ等の固定手段２０ｄ、２０ｄが取り付けられ、前記固定手段２０ｄ、２０ｄに対応する盤本体１の他側方の位置に、取付孔１ｄ、１ｄが設けられており、前記載置棚１の他方の側面部２０の後方が、前記固定手段２０ｄ、２０ｄによって盤本体１に取り付け又は片開き自在であると共に、当該載置棚１の前方には、前記左右の側面部２０、２０に亘る転倒防止バーが設けられていること、
側方ストッパーを兼ねる前記側面部２０によって、当該載置棚２に載置されるキャリア機器Ｂやユーザー機器Ｃの側方へのはみ出しが防止されると共に、前方ストッパーたる前記転倒防止バー２３によって、カバー３の取り外し時に前記キャリア機器Ｂ等の前方への転倒が防止される構成であることを特徴とする。
【００１３】
請求項４に記載した発明は、前記載置棚２の側方ストッパーを兼ねる左右の側面部２０、２０の上部に、係止用の切込み２２が複数設けられ、前記左右の側面部２０、２０に亘る中間バー２４が所望位置で前記係止用切込み２２に係止自在に構成されていることを特徴とする。
【００１４】
請求項５に記載した発明は、前記載置棚２の下面部２６に貫通孔２７が複数形成されていると共に、その後方には、盤本体１への取り付け時に同盤本体１との間で、インフラ機器Ａやキャリア機器Ｂ、ユーザー機器Ｃの各電源コードを配線可能なスペース２５が設けられており、前記貫通孔２７に掛け渡された結束バンドやガムテープ等によって前記スペース２５を通過させた各電源コードが固定されることを特徴とする。
【００１５】
請求項６に記載した発明は、前記載置棚２の下面部２６には貫通孔２７が複数形成され、前記下面部２６の上に載置されたキャリア機器Ｂやユーザー機器Ｃの電源コードが下面部２６の裏面で、前記貫通孔２７、２７間に掛け渡された結束バンドに掛け留め自在に構成されていることを特徴とする。
【００１６】
請求項７に記載した発明は、前記カバー３が、その前面が開閉自在な蓋体３０に形成され、盤本体１へ当該カバー３を取り付けたまま、蓋体３０の開閉によって、キャリア機器Ｂやユーザー機器Ｃを設置又は取り外し可能に構成されていることを特徴とする。
【００１７】
請求項８に記載した発明は、前記盤本体１が、その表面に凹状のネジ止め穴１２が多数形成された合成樹脂製で成り、インフラ機器Ａが前記ネジ止め穴１２を用いて盤本体１にネジ止め自在に構成されていることを特徴とする。
【発明の効果】
【００１８】
本発明のコンパクト設計の情報分電盤によれば、必要最小限のスペースを確保して、キャリア機器やユーザー機器を前後につづけて簡単且つ安全に載置棚の上に設置でき、狭い部分にも取り付けられる自在性に優れている。インフラ機器が取り付けられた盤本体周辺は平らな状態であり、各部屋から多数来ている配線をインフラ機器に楽に取り付けることができる。
また、板状の盤本体は、カバー（又は枠体）と分離できるため、情報分電盤の製作工程であらかじめ盤本体に取り付けられる、ブースタ、分配器、電話端子、ＨＵＢ、電源コンセント等の取り付けが容易で使い勝手に優れる上、生産コストの低減化が達成される。
【図面の簡単な説明】
【００１９】
【図１】本発明の情報分電盤の盤本体の使用例を示した斜視図である。
【図２】盤本体への載置棚の取付け状態を示した斜視図である。
【図３】カバーの取付け要領を後方から示した斜視図である。
【図４】カバーをした情報分電盤を示した斜視図である。
【図５】蓋体付きのカバーの取付け要領を示した斜視図である。
【図６】Ａ、Ｂは、盤本体への載置棚の取付け要領を後方から示した斜視図と部分拡大図である。
【図７】Ａ、Ｂは、盤本体への載置棚の取付け要領を前方から示した斜視図と部分拡大図である。
【図８】Ａ、Ｂは、盤本体への載置棚の取付け要領を側方から示した側面図と断面図である。
【図９】載置棚への機器の設置状態を示した斜視図である。
【図１０】載置棚への機器の設置状態を示した正面図である。
【図１１】Ａ、Ｂ、Ｃは、中間バーの係止要領を上方から示した斜視図と部分拡大図及び異なる部分拡大図である。
【図１２】盤本体に取り付けた載置棚を下方から示した斜視図である。
【図１３】盤本体に取り付けた載置棚を上方から示した斜視図である。
【図１４】異なる載置棚を示した斜視図である。
【図１５】更に異なる載置棚を示した斜視図である。
【図１６】ヒンジ機構の載置棚の使用例を示した斜視図である。
【図１７】異なる盤本体を示した斜視図である。
【図１８】第２実施例の情報分電盤を分解して示した斜視図である。
【図１９】第２実施例の情報分電盤の使用状態を示した斜視図である。
【発明を実施するための最良の形態】
【００２０】
本発明の情報分電盤の好適な実施形態を、以下図面にしたがって説明する。当該情報分電盤は、垂直に配置される板状の盤本体１と、その盤本体１に対し水平に着脱自在な載置棚２と、その載置棚２を覆うカバー３とで構成されている。
【００２１】
この情報分電盤は、インフラ機器Ａへの配線ケーブル（図示は省略）は基本的に図１に示した盤本体１の上部間隙のケーブル入線口１６から入線する仕組になっている。電話ケーブルや光ファイバー、テレビ用のケーブルは盤左上に符号１７で図示した管を使用して入線される。盤中央には、機器の取り付けがなく広くスペース１１を設けた構成になっているため、下記説明の実施形態のほか、この盤中央に配線ケーブルの取入れ口（図示は省略）を設けることが可能である。機器の追加があり配線ケーブルが増加した場合などは、そのような中央の穴を利用して電話線等の配線が可能である。
【００２２】
また、盤の下側両脇には電源コードの取込み口１８があり、電源コードの配線状況により右側からの取り込みも、左側からの取り込みも可能である。盤下部中央に配置されている２個の電源コンセント９、９は、右、左どちらも結線できる構造になっている（図１０参照）。また、電源コンセント９のプラグ差し込み口の１個は横型、もう１個は縦型になっているため、インフラ機器Ａやユーザー機器Ｃの大型のコンセント差し込み型の電源は、その構造に応じて縦型、横型のコンセント９を選んで差し込むことができ、盤からはみ出さないように設置できる。図１中符号１９は、電話端子台１５に接続される電話線の入線口を示している。
【００２３】
図１は、本実施形態の情報分電盤の盤本体１に、インフラ機器Ａを取り付けた状態を示している。
【００２４】
本実施形態の盤本体１は、横方向の幅寸が５１０ｍｍ、縦が３８０ｍｍの合成樹脂製の枠体に、金属板製の底板１ａを取り付けた構成とされている。ＨＵＢ１３は磁力によりこの金属板製の底板１ａの表面に着脱自在となっている。この底板１ａには、ブースタ１４や電話端台１５、電源コンセント９などを取り付けられる穴が開いているので、決まった位置に誰でも容易に取り付けることができる。
【００２５】
或いは、図１７に示したように、盤本体１の底板を、凹状のネジ止め穴１２が多数形成された合成樹脂製で成形し、インフラ機器Ａを前記ネジ止め穴１２を用いて盤本体１にネジ止めする形態（詳細な説明図は省略）も好適に実施される。コストを低減するために、インフラ機器Ａを取り付けるスペース周辺の当該樹脂製盤本体１の表面に、凹状のネジ止め穴１２の加工を施しておけば、樹脂製盤本体１に直接インフラ機器Ａをネジ止めできて便利である。同図々示例のように、ネジ止め穴１２を多数形成しておけば、機器が変更になった場合や、取り付け位置が変更になった場合にも即座に対応できる。
【００２６】
当該盤本体１の側方には、図６に示したように、載置棚２を係止自在な被係止孔１０が形成され、後述の載置棚２が係止自在となっている。また、その上部後方でインフラ機器Ａ等の配線が可能なスペース１１が設けられている（図２参照）。
【００２７】
したがって、インフラ機器Ａの配置は、ＨＵＢ１３を盤本体１の右上角に、接続コネクタ部が内向きになるように磁力により固定し、ブースタ１４は左端に固定し出力コネクタを上向きに、入力コネクタを内向きになるようにしている。かくして、中央部に広い前記配線スペース１１が設けられた配置となっているので、各機器への配線をスムーズに行うことができる。また、後日設置されるインターネット回線の機器であるＯＮＵ（Optical Network Unit）などのキャリア機器Ｂとの接続も容易である。また、このように中央部に広いスペース１１があるため、ユーザーがさらに多くの分配端子を要求する場合は、５分配器等を中央部に追加配置して対応することができる。
【００２８】
載置棚２は、キャリア機器Ｂやユーザー機器Ｃを載置自在な下面部２６を備えた棚であって、前記の盤本体１に着脱自在に構成されている。
【００２９】
図２に示したように、当該載置棚２は、平板の金属板の左右２方向を上方に曲げることで、下面部２６の左右両側が、垂直に立ち上がる側面部２０、２０に形成されている。載置棚２の幅寸は４６０ｍｍ、奥行（側面部２０の幅寸）は１５０ｍｍのコンパクト設計である。
この側面部２０の後方は、前記盤本体１の被係止孔１０に係止自在な係止部２１に形成されている（図６）。また、図７に示したように、前記側面部２０の後方下部は、下方に折曲した後方突辺２０ａに形成され、その後方突辺２０ａに、ラッチ４を留めて固定できる固定孔２０ｂが形成されている。
【００３０】
よって、載置棚２を盤本体１に取着するには、図６〜図８に示したように、載置棚２の係止部２１を盤本体１の被係止孔１０に係止する。このように、載置棚２を盤本体２に係止するだけで、載置棚２は落ちることはないが、さらにラッチ４（ナイラッチやスナップラッチ）による固定や、ネジ留めをすれば一層強固に固定できる。ラッチ４によれば、載置棚２の取り付けや取り外しが非常に簡単である。
【００３１】
当該載置棚２の前方には、前記左右の側面部２０、２０に亘る転倒防止バー２３が設けられている。左右の側面部２０、２０の上部には、係止用の切込み２２が複数設けられ、前記左右の側面部２０、２０に亘る中間バー２４が、所望位置で前記係止用切込み２２に係止自在となっている。
すなわち、この中間バー２４は、盤本体１に取り付けられたインフラ機器Ａと、前記載置棚２の上に載置されるキャリア機器Ｂとユーザー機器Ｃの大きさに応じ、係止する切込み２２の位置を変えて仕切ることで、各機器Ａ、Ｂ、Ｃが位置決め固定される。
【００３２】
また、図９のようにキャリア機器Ｂに各種配線をした後、この切込み２２に中間バー２４を係止するため、配線がやり易く機器の設置が楽である。しかも、載置棚２の奥行の略中間位置で、中間バー２４を係止する仕組になっているため、キャリア機器Ｂとユーザー機器Ｃを非接触状態で設置でき、機器内部の熱による温度上昇が発生しない。
【００３３】
なお、図１１に示したように、中間バー２４の端部２４ａや転倒防止バー２３の端部２３ａを、コ字状に形成した形態でも実施される。この中間バー２４（転倒防止バー２３）の天地を逆にすることにより、微妙な仕切り間隔を調節することが可能である。図１１Ｂは、中間バー２４が盤本体１側の後方向きの状態で、転倒防止バー２３寄りに配置されるキャリア機器Ｂの設置スペースが狭くなり、中間バー２４の天地を逆にした図１１Ｃは、中間バー２４が前方向きの状態でキャリア機器Ｂの設置スペースが広くなっている。
【００３４】
上記の側面部２０は、側方ストッパーの機能も有する。つまり、当該載置棚２に載置されるキャリア機器Ｂやユーザー機器Ｃが、側方（両サイドの外方）へはみ出して落下することが防止される。併せて、前方ストッパーたる前記転倒防止バー２３により、後述のカバー３を取り外す際に、前記キャリア機器Ｂ等が前方へ転倒し落下されることも同時に防止される。
【００３５】
載置棚２の下面部２６は、貫通孔２７が複数形成されていると共に、その後方が奥行＝４０ｍｍほど切欠されたスペース２５に形成され、盤本体１への取り付け時に同盤本体１との間で設けられる当該スペース２５に、インフラ機器Ａやキャリア機器Ｂ、ユーザー機器Ｃの各電源コードが配線自在である。
すなわち、載置棚２の後方部は盤本体１と接触しておらず、盤本体１との間の当該配線スペース２５に、盤本体１上にあるインフラ機器Ａや載置棚２上のキャリア機器Ｂ、ユーザー機器Ｃの電源コードを通過させ、余分な電源コードは下面部２６の裏面で貫通孔２７、２７間に掛け渡された結束バンドやガムテープ等により固定して、下方にある電源コンセント９に接続することができる。そのため、載置棚２とカバー３との空間を最小限にでき、カバー３の奥行を小さくできる。
【００３６】
なお、載置棚２の下面部２６は、図７と図８に示したように、その後方が、前記配線スペース２５を設けた両端部で下方に若干折曲された下方折曲部２６ａに形成される一方、下面部２６の前方の端部は、上方に若干折曲された上方折曲部２６ｂに形成した実施形態が好適である。そうすれば、載置棚２は比較的薄めの材料を使用してもキャリア機器Ｂやインフラ機器Ｃを載せるに十分な強度を得ることができ、情報分電盤全体を軽量化できる。また、例えばユーザー機器Ｃに転倒防止用の台Ｃ１が付設されている場合（図１３）にも、後方に置けば当該下方折曲部２６ａは邪魔にならず、載置棚２の奥行の寸法を最小限とすることができる。
【００３７】
前方への転倒防止用としては、上述した転倒防止バー２３を使用するほか、図１４のように、載置棚２をなす平板の金属板を３方向から上方向に曲げ、下面部２６の左右に側面部２０、２０を形成すると共に、前方に前面部２９を形成する形態も実施可能である。この形態によれば、上記の転倒防止バー２３の役割を前面部２９が果たし、この前面部２９によっても、載置されたキャリア機器Ｂやユーザー機器Ｃの前方への落下が防止される。
【００３８】
また、図１５のように、載置棚２をなす平板の金属板を２方向から上方向に曲げ、下面部２６の前方に前面部２９を形成し、前記下面部２６の後方に後面部２９ａを形成し、この後面部２９ａにコ字状の脚部２９ｂが連接され、前面部２９から後面部２９ａの左右両端に亘って側方杆２０ｃが接続され、前記後面部２９ａの脚部２９ｂを盤本体１に取り付ける形態でも実施可能である。
【００３９】
上述した載置棚２は、図１６に示したように、ヒンジ機構によって常に盤本体１に取り付けたままで回動自在に使用する形態も好適に実施される。
すなわち、載置棚２の一方の側面部２０の後方が、前記盤本体１の一側方の下方に、ヒンジ機構２０ｃによって回動自在に取り付けられている。他方の側面部２０の後方は、折曲した後方突辺２０ａに形成され、その後方突辺２０ａの上下に、ラッチ等の固定手段２０ｄ、２０ｄが取り付けられている。この固定手段２０ｄ、２０ｄに対応する盤本体１の他側方の位置に、取付孔１ｄ、１ｄが設けられている。
【００４０】
かくして、このヒンジ機構を備えた載置棚２によれば、キャリア機器Ｂやユーザー機器Ｃを載置棚２に載せた後、インフラ機器Ａの再調整や交換が必要になった場合、固定手段２０ｄを解除して、当該載置棚２を手前に回動させ、片開き状態で作業ができる。載置棚２を盤本体１から取り外す必要がない。その際、キャリア機器Ｂやユーザー機器Ｃを、中間バー２４と前面部２９（又は前方ストッパー２３）との間に置けば、機器の転倒を防止してスムーズに作業を行える。
【００４１】
いずれにしても、載置棚２は、前方ストッパーたる転倒防止バー２３や前面部２９と側面ストッパーたる側面部２０（側方杆２０ｃ）で囲われた籠のような形状になるため、キャリア機器Ｂの設置業者や無線ＬＡＮなどを設置するユーザーも安心して機器を置くことができる（図９）。
【００４２】
カバー３は、縦×横×奥行が３８０×５１０×２００ｍｍの図３、図４に示したような一般的な蓋体構造である。上記盤本体１の縦×横と同じ寸法で、上記載置棚２と、同載置棚２に載置されるキャリア機器Ｂやインフラ機器Ｃを覆うに必要最小限の奥行で構成され、載置棚２を覆って盤本体１にぴったりと合わさって取り付けられる。
また、図５に示した前面が開閉自在な蓋体３０に形成された形態であれば、盤本体１へ当該カバー３を取り付けたまま、蓋体３０の開閉によって、キャリア機器Ｂやユーザー機器Ｃを設置し又は取り外すことができてよい。なお、図中符号３１は通気用のスリットを示している。
【第２実施例】
【００４３】
図１８と図１９は、情報分電盤の異なる実施例を示している。
【００４４】
この実施例の情報分電盤は、上記した載置棚２を設けないで、枠体５と盤本体１とによって簡便な情報分電盤が構成されている。つまり、上述した垂直配置の底板１ａ付き盤本体１と、その盤本体１へ着脱自在な所定奥行の枠体５とから成る情報分電盤である。少ない部品ゆえ成形金型の製作は容易である。また、盤本体１から枠体５を取り外すだけで、平らな盤本体１への配線を行い易い上、キャリア機器Ｂやユーザー機器Ｃを設置する場所は、枠体５の下面部５１そのものであるから、空間を有効に最大限使用することができる。
【００４５】
枠体５は、平板の金属板を折り曲げ、上下左右の各面が上面部５０、下面部５１及び左右の側面部５２、５２で囲まれている。枠体５の縦×横×奥行は、それぞれ３８０ｍｍ、５１０ｍｍ、２００ｍｍである。枠体５にはその前面で開閉自在な蓋体６が取り付けられ、枠体５部分に大きなキャリア機器Ｂ等を設置する場所もあるため、入居後にユーザーが増設する無線ＬＡＮなども蓋体６を開けて楽に設置できる。
【００４６】
当該枠体５には、載置されるキャリア機器Ｂやユーザー機器Ｃを固定する機器固定バー７が備えられている。機器固定バー７は、その上部が凹んだ溝部７０に複数形成されているので、この溝部７０、７０に架け渡された結束バンド等でキャリア機器Ｂを簡単に固定できる。また、機器固定バー７の下部に嵌合用の突起７１が複数形成され、枠体５の下面部５１に設けられた通気用スリット５３に、前記突起７１が嵌合して固定され、複数のキャリア機器Ｂやユーザー機器Ｃを載置するに十分な強度が保持される。
【００４７】
しかも、上述の実施形態と同様に、前記枠体５の前方に左右の側面部５２、５２に亘る転倒防止バー８が設けられており、ユーザーが蓋体６を開いた際、その転倒防止バー８によってキャリア機器Ｂ等が前方へ落下する心配がない。
【符号の説明】
【００４８】
Ａ        インフラ機器
Ｂ        キャリア機器
Ｃ        ユーザー機器
１        盤本体
１０      被係止孔
１１      スペース
１２      ネジ止め穴
１３      ＨＵＢ
１４      ブースタ
２        載置棚
２０      側面部（側方ストッパー）
２０ｃ    ヒンジ機構
２１      係止部（取付手段）
２２      切込み
２３      転倒防止バー（前方ストッパー）
２４      中間バー
２５      スペース
２６      下面部
２７      貫通孔
３        カバー
３０      蓋体
４        ラッチ
５        枠体
６        蓋体
７        機器固定バー
７０      溝部
７１      突起
８        転倒防止バー
【図１】
0006748343.tif 000002
【図２】
0006748343.tif 000003
【図３】
0006748343.tif 000004
【図４】
0006748343.tif 000005
【図５】
0006748343.tif 000006
【図６】
0006748343.tif 000007
【図７】
0006748343.tif 000008
【図８】
0006748343.tif 000009
【図９】
0006748343.tif 000010
【図１０】
0006748343.tif 000011
【図１１】
0006748343.tif 000012
【図１２】
0006748343.tif 000013
【図１３】
0006748343.tif 000014
【図１４】
0006748343.tif 000015
【図１５】
0006748343.tif 000016
【図１６】
0006748343.tif 000017
【図１７】
0006748343.tif 000018
【図１８】
0006748343.tif 000019
【図１９】
0006748343.tif 000020